(57)【要約】
【課題】　解扣操作がスムーズで商品の短小化の要求を満足することができる上圧解鉤式コネクターを提供する。
【解決手段】　コネクター本体１と、外殻体２と、扣鉤３とを含み、該外殻体２は該コネクター本体１の外側に包み被っており、該扣鉤３の中段は該コネクター本体１の頂面に枢扣し、該扣鉤３の第一端に湾曲して鉤部３１を形成し、その第二端は常時弾性体で弾性的に上に向けて突き上げ、その第一端の鉤部３１を常時該コネクター本体１の頂面に向けて併合させ、該コネクター本体１の前段が連接台４の中に差し込んだ時は、該扣鉤３の鉤部３１は対応して該連接台４の扣アーム４１に掛け込んで該コネクター１００が外に向けて脱落するのを阻害し、該コネクター１００を抽出する時は、只該扣鉤３の第二端を押し圧し、鉤部３１と該連接台４の扣アーム４１とを解扣した後に外に向かって該コネクター１００を抽出することができる上圧解鉤式コネクターである。
【選択図】　　図１
0003100585.tif 000002
【実用新案登録請求の範囲】
【請求項１】
　上圧解鉤式コネクターであって、コネクター本体と、外殻体と、扣鉤とを含み、
　該外殻体は該コネクター本体の外側に包み被さっており、該外殻体と該コネクター本体との頂面間に置き空間を形成し、
　該扣鉤の中段は該置き空間の中に伸入して、該コネクター本体の頂面の上側に枢扣し、かつ該扣鉤の第一端に彎曲して鉤部を形成し、その第二端は常に弾性体で弾性的に上に向かって突き上げられ、これによってその第一端の鉤部は常時該コネクター本体の頂面に向けて併合され、対応する連接台の扣アームに掛け込まれ、該コネクターが外に向かって脱落するのを阻害することを特徴とする上圧解鉤式コネクター。
【請求項２】
　該扣鉤は板体を含み、該板体の中段に下に向かって枢接孔が設けられており、対応する該コネクター本体の枢扣部を掛け扣し、該板体の中段から下に向かって突きアームが突伸して、該コネクター本体の定位突き止め部の外側に突き寄せて、該扣鉤を安定して該コネクター本体の頂面の上側に枢扣することを特徴とする請求項１に記載の上圧解鉤式コネクター。
【請求項３】
　該扣鉤のその第二端と該コネクター本体との間の弾性体は、圧縮バネからなることを特徴とする請求項１に記載の上圧解鉤式コネクター。
【請求項４】
　該扣鉤の第二端は、直接彎曲したＵ字形形状で該弾性体を形成し、該弾性体の自由端を常時該コネクター本体の頂面の上側に突き支えることを特徴とする請求項１に記載の上圧解鉤式コネクター。
【請求項５】
　該扣鉤の第二端は、押し圧ハンドルを嵌はめしていることを特徴とする請求項１に記載の上圧解鉤式コネクター。
【請求項６】
　該扣鉤の第一端の鉤部は、該外殻体と該コネクター本体との間に隠されて置かれ、置き空間の中に形成されていることを特徴とする請求項１に記載の上圧解鉤式コネクター。
【請求項７】
　該扣鉤の第一端鉤部は、該外殻体から突出していることを特徴とする請求項１に記載の上圧解鉤式コネクター。
【考案の詳細な説明】
【技術分野】
【０００１】
　本考案は、一種の上圧解鉤式コネクターに関し、特に安定して連接台の外のコネクターに掛け込むことができ、尚且つ解鉤操作中ではその傍に装置したその他のコネクターの阻害を受けない上圧解鉤式コネクターに関する。
【背景技術】
【０００２】
　コンピューターはすでに個人の応用に普及している。外接式の電子周辺装置、例えばデジタルカメラ、プリンター、スキャナー‥等も広く応用されている。上記の電子周辺装置とコンピューター本体との間の連接は、一般では伝送線によって行う。その伝送線の一端は、コネクターを連接して、コンピューター本体の対応した連接台の中に差し込む。しかし個人コンピューターは通常では皆多数の周辺装置を外接しているので、各伝送線の排列は非常に緊密で間隔が小さい。また該コネクターと連接台との間には適当な固定挟み止め構造がないので、コネクターは常時使用者の不注意のために当り触って該コネクターと分離を生じ、これによって周辺装置の資料は伝送できないという欠点を生じる。
【０００３】
　現在のコネクターはネジで締め付けて固定するタイプはあるが、この構造は、取付および取外しが不便であるので、経常で差し込んですぐに使用する周辺装置の応用には適さない。例えばデジタルカメラの伝送線のコネクターの使用は、このような原因で図９に示した方式がある。該コネクター９ａは、両側に各別に挟み板９１を枢装している。この両側の挟み板９１が対に連接台９ｂの両側の扣鉤９２を挟み止める。上記の扣鉤９２を解扣する時は、只両側の挟み板９１を押し圧すれば該コネクター９ａと連接台９ｂとは離れる。しかしこの方式では、常にコネクター９ａの両側には尚その他の伝送線が連接されている。またコンピューターの各伝送の排列は通常ではまた十分に密集しているので使用者の手指では簡単に該コネクター９ａの両側に伸ばして両挟み板９１を押し圧することができないので、解扣操作は非常にスムーズにいかない。その外に、挟み板９１をコネクター９ａの両側に設置した時は、該コネクター９ａの両側の巾は自然に伴って大きくなる。このために、若しも成品が横向きの排列を採用したコネクターの設計の時は、商品（例えばノートブックコンピューターの際）の巾は比較的長くなる。このために商品の短く小さい設計の要求に適しない。これもまた一つの欠点がある。
　しかしながら、上記で説明したように現在使用されているコネクターは解扣操作がスムーズでない。その外に商品の短小化の要求を満足することができない欠点がある。
【考案の開示】
【考案が解決しようとする課題】
【０００４】
　よって本考案の目的は、解扣操作がスムーズで商品の短小化の要求を満足することができる上圧解鉤式コネクターを提供することである。
【課題を解決するための手段】
【０００５】
　本考案は上記の点を解決するためになされたものであり、提供する一種の上圧解鉤式コネクターは、コネクター本体と、外殻体と、扣鉤とを含む。該外殻体は該コネクター本体の外側に包み被っている。該扣鉤の中段は、該コネクター本体の頂面に枢扣し、該扣鉤の第一端に湾曲して鉤部を形成し、その第二端は常時弾性体で弾性的に上に向けて突き上げ、これによってその第一端の鉤部を常時該コネクター本体の頂面に向けて併合させる。これで、該コネクター本体の前段が連接台の中に差し込んだ時は、該扣鉤の鉤部は、対応して該連接台の扣アームに掛け込んで、該コネクターが外に向けて脱落するのを阻害する。若しも該コネクターを抽出する時は、操作人は只該扣鉤の第二端を押し圧し、鉤部と該連接台の扣アームとを解扣した後に外に向かって該コネクターを抽出することができるので、上記に述べた課題の欠点を解決することができる。
【考案を実施するための最良の形態】
【０００６】
　以下、図面に従って本考案を説明する。
　図１〜図８を参照する。本考案は一種の上圧解鉤式コネクターで、該コネクター１００は下記のものを含む。コネクター本体１および外殻体２、該外殻体２は該コネクター本体１の外側に包み被っていて、該外殻体２と該コネクター本体１の頂面１１との間に置き空間１０を形成する。扣鉤３、該扣鉤３の中段は該置き空間１０の中に伸入し、かつ該扣鉤３の中段は該コネクター本体１の頂面１１の上側に枢扣し、尚かつ該扣鉤３の第一端に湾曲して鉤部３１を形成し、その第二端は常時弾性体３２で弾性的に上に向かって突き上げて、その第一端の鉤部３１を常時に該コネクター本体１の頂面１１に向けて併合し、該コネクター本体１の前段が連接台４の中に差し込んだ時には、該扣鉤３の鉤部３１は対応する該連接台４の扣アーム４１に掛け込むことができる。これによって該コネクター１００が外に向かって脱落するのを阻害する。該コネクター１００を抽出する時は、操作者は只該扣鉤３の第二端を押し圧して、鉤部３１と該連接台４の扣アーム４１とを解扣した後に外に向かって該コネクター１００を抽出することができる。
【０００７】
　本考案の上圧解鉤式のコネクターは、その中の該コネクター本体１の頂面１１は上に向かって枢扣部１２があって、対応して該扣鉤３の枢接孔３３の中に枢扣して、該扣鉤３をこの枢接した所によって撥転することができる。
【０００８】
　本考案に示した扣鉤３は、縦長板体３０を含む。該板体３０の中段に下に向かって枢接孔３３を設けて、対応して該コネクター本体１の枢扣部１２を掛け止め、該板体３０の中段から下に向かって突きアーム３４を突伸して、該コネクター本体１の定位突き止め部１３の外側に突き寄せて、該扣鉤３を安定して該コネクター本体１の頂面１１の上側に枢扣する。
【０００９】
　上記の扣鉤３の第二端と該コネクター本体１との間の弾性体３２は、圧縮バネから取ることができる。また、図１に示したように、該扣鉤３の板体の第二端を直接一体でＵ字形状に湾曲させて該弾性体３２にし、そして該弾性体３２の自由端３２１を常時該コネクター本体１の頂面１１に突き支えて、該扣鉤３を第一端の鉤部３１の所で常時該コネクター本体１の頂面１１の方向に向かって併合する。
　本考案が示した扣鉤３は、その第二端は押し圧ハンドル３５を嵌はめして、使用者に該扣鉤３の第二端を押し圧施力に使用する。
【００１０】
　図１、図５、および図６に示した本考案の第一実施例による上圧解鉤式コネクター１００は、その中の該扣鉤３の第一端の鉤部３１は完全に該外殻体２と該コネクター本体１との間に形成した置き空間１０の中に隠されている。また、図７、および図８に示したように、該扣鉤３の第一端の鉤部３１は該外殻体２に突出している。本考案ではこれに対して自限をしない。
【００１１】
　本考案が示した上圧解鉤式コネクターを応用する時は、該コネクター本体１の前段を直接対応的に連接台４の中に差し込むことができる。図２に示したように、該連接台４の前端の扣アーム４１の前縁が移動して該扣鉤３の第一端の鉤部３１に向かう時は、自動的に該扣鉤３の鉤部３１を外に向けて広がる。継続して該コネクター１００を差し込んだ時（図３の如し）は、該鉤部３１は自動的に連接台４の扣アーム４１を掛けることができるので、これによって該コネクター１００は安定して該連接台４に掛け込むことができる。
【００１２】
　使用者が該コネクターを解鉤する時は、図４に示したように、人差し指で該コネクター１００の底部１００ａを扣止めて、次に親指で該扣鉤３の第二端の所の押し圧ハンドル３５を下に向けて圧着し、これによって該扣鉤３の第二端の鉤部３１は上に向かって撥ねる。そして該連接台４の扣アーム４１と解鉤する。これでスムーズに該コネクター１００を抽出する。本考案での掛け込みを操作する扣鉤３は該コネクター１００の上側に取り付けているので、使用者が解鉤の操作を行う時は、手指は本コネクター１００の左右の両側に装置しているその他の連接部分の阻害を受けない。これで本考案の解鉤操作が更に順調になる。
【００１３】
　上記で説明した本考案は、解鉤操作をする扣鉤３は該コネクター本体１の上側に取り付けているので、手指は本コネクターの左右両側のその他の連接部品の阻害がないために操作はスムーズである。これは本考案の新鋭性および実用性の効果である。また、扣鉤はコネクター本体の上側に取り付けている。これは商品設計上ではコネクター本体の両側の間隔を大きくする必要がないために、本考案は横向きに密集して装置を排列することができるので、商品の短小設計の需求に対応する効果がある。
　特に強調する点は、若しも本考案の構想、形状を一部変更した後に生じた効果、作用が本明細書と図面を含む範囲である場合、すべで本考案の範囲とみなすべきである。
【図面の簡単な説明】
【００１４】
【図１】本考案の第一実施例による上圧解鉤式コネクターの局部構造を示す断面図である。
【図２】本考案の第一実施例による上圧解鉤式コネクターの連接台前に差し込んだ状態を示す断面図である。
【図３】本考案の第一実施例による上圧解鉤式コネクターの連接台を掛け込んだ状態を示す断面図である。
【図４】図３の扣鉤の第二端を押し圧した後に連接台と解鉤した状態を示す断面図である。
【図５】本考案の第一実施例による上圧解鉤式コネクターを示す断面図である。
【図６】本考案の第一実施例による上圧解鉤式コネクターを示す側面図である。
【図７】本考案の第二実施例による上圧解鉤式コネクターを示す断面図である。
【図８】図７の実施例を示す側面図である。
【図９】従来のコネクターを示す断面図である。
【符号の説明】
【００１５】
　１００　コネクター、１００ａ　底部、１　コネクター本体、１０　置き空間、１１　頂面、１２　枢扣部、１３　定位突き止め部、２　外殻体、３　扣鉤、３０　板体、３１　鉤部、３２　弾性体、３２１　自由端、３３　枢接孔、３４　突きアーム、３５　押し圧ハンドル、４　連接台、４１　扣アーム
【図１】
0003100585.tif 000003
【図２】
0003100585.tif 000004
【図３】
0003100585.tif 000005
【図４】
0003100585.tif 000006
【図５】
0003100585.tif 000007
【図６】
0003100585.tif 000008
【図７】
0003100585.tif 000009
【図８】
0003100585.tif 000010
【図９】
0003100585.tif 000011